(57)【要約】【課題】より良好で安定した電磁シールド効果をもたらす電磁シールド用ガスケットを提供する。【解決手段】弾力性を有する基体２を導電性を有する導電部材３で被覆し、該導電部材３の一側面に帯状の両面粘着テープ４を設ける。両面粘着テープ４には、導電部材３を露出させる多数の開口部４ａをほぼ均等に散在した状態で形成する。両面粘着テープ４の貼着面４ｂを電子機器の筐体や実装部品に貼着させることで固定され、筐体や実装部品と導電部材３とを多数の開口部４ａを介して機械的に接触させることで電気的に導通させ、導電部材３の裏面側を他方の筐体や実装部品に電気機械的に接触させることで電気的に導通させ、筐体間や実装部品間を電磁シールドする。【選択図】  図２
2008294263.tif 000002
【特許請求の範囲】
【請求項１】
弾力性を有する基体が導電性を有する導電部材で被覆され、該導電部材の一側面に帯状の両面粘着テープが設けられた電磁シールド用ガスケットであって、
前記両面粘着テープに、前記導電部材を露出させる多数の開口部がほぼ均等に散在した状態で形成されていること、
を特徴とする電磁シールド用ガスケット。
【請求項２】
弾力性を有する基体が導電性を有する導電部材で被覆され、該導電部材の一側面に帯状の両面粘着テープが設けられた電磁シールド用ガスケットであって、
前記両面粘着テープは、前記導電部材を部分的に被覆しほぼ均等に散在した状態で形成された多数の両面粘着テープで形成されていること、
を特徴とする電磁シールド用ガスケット。
【発明の詳細な説明】
【技術分野】
【０００１】
本発明は、電子機器の例えば筐体間や実装部品間等を電気的に導通させて電磁シールドを行う電磁シールド用ガスケットに関する。
【背景技術】
【０００２】
電子機器の筐体間や実装部品間等から侵入又は漏洩する障害電磁波を防止するため、筐体間や実装部品間等を電気的に導通させて電磁シールドする電磁シールド用ガスケットが用いられている（実開平７−４２１９０号公報）。
【０００３】
同公報に開示されている電磁シールド用ガスケットは、図１（ａ）に示すように、直方体形状や板状のウレタンやゴム等の弾性材を基体とし、金属糸等を縫製することで形成された布状の導電部で基体の表裏面と側面が全体的に被覆され、更に導電部の長手方向に帯状の両面粘着テープが接着された構造を有している。
【０００４】
金属製の２個の筐体等の間を電磁シールドする場合、図１（ｂ）に示すように、この電磁シールド用ガスケットの両面粘着テープ側を一方の筐体の表面に貼着させ、裏面側の導電部を他方の筐体の表面に接触させることで、両面粘着テープ側の導電部と裏面及び側面の導電部を介して両者の筐体を電気的に導通させ、障害電磁波の侵入又は漏洩を防止することとしている。
【０００５】
【特許文献１】実開平７−４２１９０号公報
【発明の開示】
【発明が解決しようとする課題】
【０００６】
上記従来の電磁シールド用ガスケットは、導電部の表面中央部分に、全面が貼着面となっている帯状の両面粘着テープを設けて、ガスケットを固定する手段とし、両面粘着テープの両側に導電部が現れる構造とすることで、電気的に接触させ、シールド効果をもたらすようになっている。
【０００７】
ところが、筐体等の表面がほぼ真っ平らであれば、両面粘着テープの両側に露出する導電部の表面全体が筐体等の表面に十分に接触し、良好なシールド効果が得られるのであるが、例えば筐体等の表面に反りや凹凸等の変形が生じている場合には、その筐体等の表面に両面粘着テープが貼着されても、筐体等の表面と導電部の表面との間に隙間が生じたり、部分的にしか接触しない状態が生じたり、安定に接触しない等の状況を招き、シールド効果が大幅に減少する問題があった。
また、より安定して強力なシールド効果を得るためには、ガスケットの導電部と接触する相手の導電部材との接触面積をより多く取る必要がある。
【０００８】
本発明は、こうした従来の問題に鑑みて成されたものであり、より良好で安定した電磁シールド効果をもたらす電磁シールド用ガスケットを提供することを目的とする。
【課題を解決するための手段】
【０００９】
請求項１に記載の発明は、弾力性を有する基体が導電性を有する導電部材で被覆され、該導電部材の一側面に帯状の両面粘着テープが設けられた電磁シールド用ガスケットであって、前記両面粘着テープに、前記導電部材を露出させる多数の開口部がほぼ均等に散在した状態で形成されていること、を特徴とする。
【００１０】
請求項２に記載の発明は、弾力性を有する基体が導電性を有する導電部材で被覆され、該導電部材の一側面に帯状の両面粘着テープが設けられた電磁シールド用ガスケットであって、前記両面粘着テープは、前記導電部材を部分的に被覆しほぼ均等に散在した状態で形成された多数の両面粘着テープで形成されていること、を特徴とする。
【発明を実施するための最良の形態】
【００１１】
本発明の好適な実施形態について、図２と図３を参照して説明する。図２（ａ）（ｂ）は、第１の実施形態における電磁シールド用ガスケットの構造を示す斜視図と、その使用態様を説明するための説明図、図３は、第２の実施形態における電磁シールド用ガスケットの構造を示す斜視図と、その使用態様を説明するための説明図である。なお、図２と図３において、同一又は相当する部分を同一符号で示している。
【００１２】
（第１の実施形態）
図２（ａ）において、第１の実施形態の電磁シールド用ガスケット１は、直方体形状や板状のウレタンやゴム等の弾力性を有する弾性材を基体２とし、金属糸等を縫製することで形成された導電性を有する布状の導電部材３によって基体２の表裏面と側面が全体的に被覆され、更に導電部材３の一側面に、両面粘着テープ４が接着されている。
【００１３】
両面粘着テープ４には、導電部材３を露出させる多数の開口部４ａがほぼ均等に散在した状態で形成されており、開口部４ａ以外の部分が両面粘着テープ４の貼着面４ｂとなっている。なお、個々の開口部４ａは適宜の形状となっている。
【００１４】
また、電磁シールド用ガスケット１が使用される前には、両面粘着テープ４の貼着面４ｂが剥離紙５で覆われており、使用に際して剥離紙５を剥離することで貼着面４ｂを露出させ、例えば電子機器の筐体や実装部品に貼着させるようになっている。
【００１５】
次に、かかる構造を有する電磁シールド用ガスケット１を使用して、電子機器の筐体間をシールドする際の態様について、図２（ｂ）を参照して説明する。
【００１６】
まず、剥離紙５を両面粘着テープ４から剥離して貼着面４ｂを露出させ、一方の筐体Ａの金属面に貼着面４ｂを貼着させると共に、電磁シールド用ガスケット１の裏面側の導電部材（両面粘着テープ４が設けられていない導電部材３の裏面）を他方の筐体Ｂの金属面に接触させ、筐体Ａ，Ｂの間に電磁シールド用ガスケット１が介在するように取り付ける。
【００１７】
このように、筐体Ａ，Ｂの間に電磁シールド用ガスケット１を介在させると、多数の各開口部４ａを囲んでいる貼着面４ｂの全面が筐体Ａの金属面に貼着しガスケットが固定されるとともに、多数の各開口部４ａを介して電磁シールド用ガスケット１の表面側の導電部材３が、筐体Ａの金属面に広範囲に亘って機械的に接触することにより、電気的に良好で安定した接触が得られる。
【００１８】
そして、両面粘着テープ４側の導電部材３と裏面及び側面の導電部材３を介して両者の筐体Ａ，Ｂを電気的に導通させ、障害電磁波の侵入又は漏洩を防止し、優れた電磁シールド効果を発揮する。
【００１９】
また、筐体Ａ，Ｂの金属面が反っているような場合や凸凹があるような場合でも、両面粘着テープ４の貼着面４ａの全面が、その反っている金属面に対して貼着することで、多数の各開口部４ａもその金属面に面して位置することとなり、両面粘着テープ４側の導電部材３も各開口部４ａを介して、反っているあるいは凹凸のある金属面に広範囲に亘って機械的に接触することにより、電気的に良好で安定した接触が得られる。このため、各開口部４ａを介して導電部材３を筐体等の被貼着体に確実且つ安定させて接触させて、より良好な電磁シールド効果を発揮することができる。
【００２０】
以上に説明したように、本実施形態の電磁シールド用ガスケット１によれば、両面粘着テープ４に多数の開口部４ａがほぼ均等に散在した状態で形成されているため、各開口部４ａを介して導電部材３を筐体間や実装部品間等に確実且つ安定させて接触させ、より良好な電磁シールド効果を発揮することができる。
【００２１】
（第２の実施形態）
図３（ａ）において、第２の実施形態の電磁シールド用ガスケット１は、直方体形状や板状のウレタンやゴム等の弾力性を有する弾性材を基体２とし、金属糸等を縫製することで形成された導電性を有する布状の導電部材３によって基体２の表裏面と側面が全体的に被覆され、更に導電部材３の一側面に、導電部材３を部分的に覆う多数の両面粘着テープ４が、ほぼ均等に散在した状態で形成されており、両面粘着テープ４以外の導電部材３の部分が露出している。なお、個々の両面粘着テープ４は適宜の形状となっている。
【００２２】
また、電磁シールド用ガスケット１が使用される前には、両面粘着テープ４の貼着面４ｂが剥離紙５で覆われており、使用に際して剥離紙５を剥離することで貼着面４ｂを露出させ、例えば電子機器の筐体や実装部品に貼着させるようになっている。
【００２３】
次に、かかる構造を有する電磁シールド用ガスケット１を使用して、電子機器の筐体間をシールドする際の態様について、図３（ｂ）を参照して説明する。
【００２４】
まず、剥離紙５を両面粘着テープ４から剥離して貼着面４ｂを露出させ、一方の筐体Ａの金属面に貼着面４ｂを貼着させると共に、電磁シールド用ガスケット１の裏面側の導電部材（両面粘着テープ４が設けられていない導電部材３の裏面）を他方の筐体Ｂの金属面に接触させ、筐体Ａ，Ｂの間に電磁シールド用ガスケット１が介在するように取り付ける。
【００２５】
このように、筐体Ａ，Ｂの間に電磁シールド用ガスケット１を介在させると、多数の両面粘着テープ４が筐体Ａの金属面に貼着しガスケットが固定されるとともに、電磁シールド用ガスケット１の表面側の導電部材３が、筐体Ａの金属面に広範囲に亘って機械的に接触することにより、電気的に良好で安定した接触が得られる。
【００２６】
そして、両面粘着テープ４側の導電部材３と裏面及び側面の導電部材３を介して両者の筐体Ａ，Ｂを電気的に導通させ、障害電磁波の侵入又は漏洩を防止し、優れた電磁シールド効果を発揮する。
【００２７】
また、筐体Ａ，Ｂの金属面が反っているような場合や凸凹があるような場合でも、多数の両面粘着テープ４が、その反っている金属面に対して貼着することで、両面粘着テープ４側の導電部材３も、反っている金属面に広範囲に亘って機械的に接触することにより、電気的に良好で安定した接触が得られる。このため、導電部材３を筐体等の被貼着体に確実且つ安定させて接触させて、より良好な電磁シールド効果を発揮することができる。
【００２８】
以上に説明したように、本実施形態の電磁シールド用ガスケット１によれば、多数の両面粘着テープ４がほぼ均等に散在した状態で形成されているため、導電部材３を筐体間や実装部品間等に確実且つ安定させて接触させ、より良好な電磁シールド効果を発揮することができる。
【実施例１】
【００２９】
次に、上記第１の実施形態に係る、より具体的な実施例について、図４（ａ）〜（ｄ）の平面図を参照して説明する。なお、図４（ａ）〜（ｄ）において図２（ａ）（ｂ）と同一又は相当する部分を同一符号で示している。
【００３０】
図４（ａ）に示す本実施例の電磁シールド用ガスケット１は、金属糸等を縫製することで形成された導電性を有する布状の導電部材３によって、弾性材から成る基体２の表裏面と側面が全体的に被覆され、更に導電部材３の一側面に、両面粘着テープ４が接着されている。
【００３１】
両面粘着テープ４には、導電部材３を露出させる多数の円形の開口部４ａがほぼ均等に散在した状態で形成されており、開口部４ａ以外の部分が両面粘着テープ４の貼着面４ｂとなっている。また、電磁シールド用ガスケット１が使用される前には、両面粘着テープ４の貼着面４ｂが剥離紙（図示省略）で覆われており、使用に際して剥離紙を剥離することで貼着面４ｂを露出させ、例えば電子機器の筐体や実装部品に貼着させるようになっている。
【００３２】
かかる構造を有する電磁シールド用ガスケット１を使用して、電子機器の筐体間等をシールドする場合、まず、上述の剥離紙を両面粘着テープ４から剥離して貼着面４ｂを露出させ、図２（ｂ）に示したのと同様に、一方の筐体の金属面に貼着面４ｂを貼着させると共に、電磁シールド用ガスケット１の裏面側の導電部材（両面粘着テープ４が設けられていない導電部材３の裏面）を他方の筐体の金属面に接触させ、筐体の間に電磁シールド用ガスケット１が介在するように取り付ける。
【００３３】
このように、筐体間に電磁シールド用ガスケット１を介在させると、多数の各開口部４ａを囲んでいる貼着面４ｂの全面が一方の筐体の金属面に貼着しガスケットが固定されるとともに、多数の各開口部４ａを介して電磁シールド用ガスケット１の表面側の導電部材３が、その筐体の金属面に広範囲に亘って機械的に接触することにより、電気的に良好で安定した接触が得られる。
【００３４】
そして、両面粘着テープ４側の導電部材３と裏面及び側面の導電部材３を介して両者の筐体を電気的に導通させ、障害電磁波の侵入又は漏洩を防止し、優れた電磁シールド効果を発揮する。
【００３５】
また、筐体の金属面が反っているような場合や凸凹があるような場合でも、両面粘着テープ４の貼着面４ａの全面が、その反っている金属面に対して貼着することで、多数の各開口部４ａもその金属面に面して位置することとなり、両面粘着テープ４側の導電部材３も各開口部４ａを介して、反っている金属面に広範囲に亘って機械的に接触することにより、電気的に良好で安定した接触が得られる。このため、各開口部４ａを介して導電部材３を筐体等の被貼着体に確実且つ安定させて接触させて、より良好な電磁シールド効果を発揮することができる。
【００３６】
なお、図４（ａ）に示した電磁シールド用ガスケット１では、多数の各開口部４ａを円形としているが、図４（ｂ）（ｃ）に示すように開口部４ａを四角形等の多角形としてもよいし、図４（ｄ）に示すように三角形にしてもよく、これらの構造を有する電磁シールド用ガスケットにおいても、上述した円形の開口部４ａとした場合と同様の効果が得られる。
【実施例２】
【００３７】
次に、上記第２の実施形態に係る、より具体的な実施例について、図５（ａ）（ｂ）の平面図を参照して説明する。なお、図５（ａ）（ｂ）において図３（ａ）（ｂ）と同一又は相当する部分を同一符号で示している。
【００３８】
図５（ａ）に示す本実施例の電磁シールド用ガスケット１は、金属糸等を縫製することで形成された導電性を有する布状の導電部材３によって、弾性材から成る基体２の表裏面と側面が全体的に被覆され、更に導電部材３の一側面に、導電部材３を部分的に覆う多数の円形の両面粘着テープ４が、ほぼ均等に散在した状態で形成されており、両面粘着テープ４以外の導電部材３の部分が露出している。また、電磁シールド用ガスケット１が使用される前には、両面粘着テープ４の貼着面４ｂが剥離紙（図示省略）で覆われており、使用に際して剥離紙を剥離することで貼着面４ｂを露出させ、例えば電子機器の筐体や実装部品に貼着させるようになっている。
【００３９】
かかる構造を有する電磁シールド用ガスケット１を使用して、電子機器の筐体間等をシールドする場合、まず、上述の剥離紙を両面粘着テープ４から剥離して貼着面４ｂを露出させ、図３（ｂ）に示したのと同様に、一方の筐体の金属面に貼着面４ｂを貼着させると共に、電磁シールド用ガスケット１の裏面側の導電部材（両面粘着テープ４が設けられていない導電部材３の裏面）を他方の筐体の金属面に接触させ、筐体の間に電磁シールド用ガスケット１が介在するように取り付ける。
【００４０】
このように、筐体間に電磁シールド用ガスケット１を介在させると、多数の両面粘着テープ４が一方の筐体の金属面に貼着しガスケットが固定されるとともに、電磁シールド用ガスケット１の表面側の導電部材３が、その筐体の金属面に広範囲に亘って機械的に接触することにより、電気的に良好で安定した接触が得られる。
【００４１】
そして、両面粘着テープ４側の導電部材３と裏面及び側面の導電部材３を介して両者の筐体を電気的に導通させ、障害電磁波の侵入又は漏洩を防止し、優れた電磁シールド効果を発揮する。
【００４２】
また、筐体の金属面が反っているような場合でも、多数の両面粘着テープ４が、その反っている金属面に対して貼着することで、両面粘着テープ４側の導電部材３も、反っている金属面に広範囲に亘って機械的に接触することにより、電気的に良好で安定した接触が得られる。このため、導電部材３を筐体等の被貼着体に確実且つ安定させて接触させて、より良好な電磁シールド効果を発揮することができる。
【００４３】
なお、図５（ａ）に示した電磁シールド用ガスケット１では、多数の両面粘着テープ４を円形としているが、図５（ｂ）に示すように、個々の両面粘着テープ４をストライプ形状にしてもよい。また、図４（ａ）〜（ｄ）に示した四角形、三角形の開口部４ａと粘着面４ｂを逆にして、開口部４ａの部分を個々の両面粘着テープ４とし、その両面粘着テープ４以外の部分で導電部材３が露出する構造にしてもよい。これらの構造を有する電磁シールド用ガスケットにおいても、上述した円形の両面粘着テープ４とした場合と同様の効果が得られる。
【図面の簡単な説明】
【００４４】
【図１】従来の電磁シールド用ガスケットの構造を示す斜視図と、使用態様を説明するための説明図である。
【図２】第１の実施形態に係る電磁シールド用ガスケットの構造を示す斜視図と、使用態様を説明するための説明図である。
【図３】第２の実施形態に係る電磁シールド用ガスケットの構造を示す斜視図と、使用態様を説明するための説明図である。
【図４】実施例１に係る電磁シールド用ガスケットの構造を示す平面図である。
【図５】実施例２に係る電磁シールド用ガスケットの構造を示す平面図である。
【符号の説明】
【００４５】
１…電磁シールド用ガスケット
２…基体
３…導電部材
４…両面粘着テープ
【図１】
2008294263.tif 000003
【図２】
2008294263.tif 000004
【図３】
2008294263.tif 000005
【図４】
2008294263.tif 000006
【図５】
2008294263.tif 000007